(57)【要約】【課題】小型で意匠性のある携帯用歯ブラシケースを実現すること。また、鞄の持ち手に取付ける等のファッション的な使用を可能とすること。【解決手段】容器部とヒンジを介して容器部に連結された蓋部とからなるケース本体の上方外側に紐状の取付部を連結し、ケース本体の内側に歯ブラシのブラシ部を保持するブラシ保持部と歯磨きを入れたチューブを保持するチューブ保持部とを有し、ケース本体の前記ブラシ保持部の下方に歯ブラシの柄を突出させる孔を有する携帯用歯ブラシケースを提供する。携帯用歯ブラシケースに収容される歯ブラシであってその柄部が屈曲するものによって、携帯用歯ブラシケースと歯ブラシの全体（携帯用歯ブラシセット）を小型化して強いファッション性を持たせる。 【選択図】図２
2014131528.tif 000002
【特許請求の範囲】
【請求項１】
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ケース本体の前記ブラシ保持部の下方に歯ブラシの柄を突出させる孔を有する
ことを特徴とする、携帯用歯ブラシケース。
【請求項２】
前記ブラシ保持部は、ブラシ部を保持する４本のピンを備え、該４本のピンは根元の柄部を保持する２本のピンと、ブラシ部の先端の柄部を保持する２本のピンとからなる
ことを特徴とする、請求項１に記載の携帯用歯ブラシケース。
【請求項３】
前記容器部及び蓋部の少なくとも一方に通気孔を有する
ことを特徴とする、請求項１又は２に記載の携帯用歯ブラシケース。
【請求項４】
前記蓋部の前記容器部側に鏡面を有する
ことを特徴とする、請求項１〜３のいずれか１項に記載の携帯用歯ブラシケース。
【請求項５】
前記取付部は、球体が連結されたチェーン本体と、前記球体を嵌入して係止する留め具とを有し、
前記チェーン本体に沿って移動し、前記留め具の前記球体を嵌入する部分を被覆することのできる離脱防止具を備える
ことを特徴とする、請求項１〜４のいずれか１項に記載の携帯用歯ブラシケース。
【請求項６】
そのブラシ部が前記携帯用歯ブラシケースに収容される歯ブラシであって、
その柄部のうち前記孔の外の部分の長さを、歯磨きに用いる時の最長の長さに比して６０％以下の長さとする柄部短縮機構を備える
ことを特徴とする、歯ブラシ。
【請求項７】
前記柄部短縮機構は、柄部が軸部と筒部とからなり、前記軸部を前記筒部に挿入して柄部を短縮した状態と、前記軸部を前記筒部に挿入せずに柄部を伸張した状態との両方において軸部と筒部とを固定する固定機構を有するものである
ことを特徴とする、請求項６に記載の歯ブラシ。
【請求項８】
前記柄部短縮機構は、その柄部を屈曲させて、屈曲した柄部の先端が前記歯ブラシケースの下縁の近傍に位置するようにするものである
ことを特徴とする、請求項６に記載の歯ブラシ。
【請求項９】
請求項１〜５のいずれか１項に記載の携帯用歯ブラシケースと、請求項６〜８のいずれか１項に記載の歯ブラシとからなる、携帯用歯ブラシセット。
【発明の詳細な説明】
【技術分野】
【０００１】
本発明は、携帯用歯ブラシケース、その歯ブラシケースに入れる歯ブラシ及び携帯用歯ブラシケースと歯ブラシとからなる携帯用歯ブラシセットに関するものである。
【背景技術】
【０００２】
宿泊を伴う旅行（仕事のための出張を含む）に当たっては、歯ブラシ及び歯磨きを持ち歩くことが多い。歯ブラシは、そのブラシ部が旅行に持参する他の物品と接触しないように保つことが期待される。このため、歯ブラシを携帯するための携帯用歯ブラシケースが知られている。
【０００３】
歯ブラシの柄部には一定の長さがあるため、従来の携帯用歯ブラシケースは、柄部をも収容する大きなものとなっていた。このため、鞄の中に入れて持ち歩くこととなり、鞄内の他の物品とは異なる形状であるため、鞄への収容が必ずしも安定したものではなかった。また、意匠性に乏しいものであった。
【０００４】
一方、装飾性のある小さな物品については、鞄の持ち手に取付ける等のファッション的な使用が広く行われている。
携帯用歯ブラシケースについても、小型であれば、かかるファッション的な使用が可能である。
【０００５】
歯ブラシのうち、携帯用歯ブラシケースによって被覆して他の物品と接触しないように保つことが期待されるのは、ブラシ部のみである。してみれば、小型で意匠性のある携帯用歯ブラシケースも実現可能であるが、そのような携帯用歯ブラシケースは知られていなかった。
なお、特許文献１には、小さな隙間に詰め込むことのできるケースが開示されているが、ファッション的な使用を考慮したものではない。
【先行技術文献】
【特許文献】
【０００６】
【特許文献１】特開平１０−２４８６３７号公報
【発明の概要】
【発明が解決しようとする課題】
【０００７】
解決しようとする課題は、小型で意匠性のある携帯用歯ブラシケースを実現することである。また、鞄の持ち手に取付ける等のファッション的な使用を可能とすることである。
【課題を解決するための手段】
【０００８】
本発明の携帯用歯ブラシケースは、
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ケース本体の前記ブラシ保持部の下方に歯ブラシの柄を突出させる孔を有する
ことを特徴とする。
【０００９】
携帯用歯ブラシケースは、歯ブラシの柄を収容しないので、小型にすることができる。また、ケース外側の歯ブラシの柄にケース本体が付されたように見えることを利して、さまざまな意匠的創作が可能である。
取付部によって、鞄の持ち手に取付ける等のファッション的な使用が可能となる。
歯ブラシと歯磨きとを入れることができ、旅行、日常の外出、その他歯ブラシと歯磨きを持ち歩くに当たって便利である。
【００１０】
本発明の携帯用歯ブラシケースは、
前記ブラシ保持部は、ブラシ部を保持する４本のピンを備え、該４本のピンは根元の柄部を保持する２本のピンと、ブラシ部の先端の柄部を保持する２本のピンとからなる
ことを特徴とする。
【００１１】
ピンによって保持することで、種々のブラシ部の形状に対応することができる。
【００１２】
本発明の携帯用歯ブラシケースは、
前記容器部及び蓋部の少なくとも一方に通気孔を有する
ことを特徴とする。
【００１３】
歯磨きの直後に歯ブラシを携帯用歯ブラシケースに収容する。このため、歯ブラシ（特にブラシ部）には水が残っている状態で収容することになる。かかる水を蒸発させるために、通気孔があることが好ましい。
【００１４】
本発明の携帯用歯ブラシケースは、
前記取付部は、球体が連結されたチェーン本体と、前記球体を嵌入して係止する留め具とを有し、  前記チェーン本体に沿って移動し、前記留め具の前記球体を嵌入する部分を被覆することのできる離脱防止具を備える
ことを特徴とする。
【００１５】
球体が連結されたチェーン本体と、球体を嵌入して係止する留め具は、マスコットチャーム等において広く用いられているものである。かかる留め具は、低コストで製造できるものであり量産に適しているが、外力が加わった場合における係止は確実ではなく、はずれてしまうこともある。はずれてしまうと、マスコットチャーム等が取付箇所から離脱して紛失してしまうこともある。
一方、携帯用歯ブラシケースはファッション的に鞄の持ち手に取付ける等の使用がなされるため、ネックレス等に比して振動等の外力が加わりやすく、外力に対する係止がより強く必要とされる。そこで、離脱防止具によってはずれることを防止する。
【００１６】
本発明の携帯用歯ブラシケースは、
前記蓋部の前記容器部側に鏡面を有する
ことを特徴とする。
【００１７】
歯磨きに当たって、歯を観察するための鏡を有すると便利である。
【００１８】
本発明の歯ブラシは、
そのブラシ部が前記携帯用歯ブラシケースに収容される歯ブラシであって、
その柄部のうち前記孔の外の部分の長さを、歯磨きに用いる時の最長の長さに比して６０％以下の長さとする柄部短縮機構を備える
ことを特徴とする。
【００１９】
携帯用歯ブラシケースが小型になるので、長い歯ブラシの柄部を屈曲させて略２分の１以下（６０％以下）の長さとし、携帯用歯ブラシケースと歯ブラシの全体を小型化して強いファッション性を持たせる。
【００２０】
本発明の歯ブラシは、
前記柄部短縮機構は、柄部が軸部と筒部とからなり、前記軸部を前記筒部に挿入して柄部を短縮した状態と、前記軸部を前記筒部に挿入せずに柄部を伸張した状態との両方において軸部と筒部とを固定する固定機構を有するものである
ことを特徴とする。
【００２１】
折りたたみ傘の軸を短縮・伸張させるものと同様の機構である。
伸張させて歯磨きを行う際に、歯から柄部に加わる応力によって柄部が屈曲してしまうことがない。
【００２２】
本発明の歯ブラシは、
前記柄部短縮機構は、その柄部を屈曲させて、屈曲した柄部の先端が前記歯ブラシケースの下縁の近傍に位置するようにするものである
ことを特徴とする。
【００２３】
柄部を屈曲させることによっても、柄部短縮機構を実現することができる。この場合、歯磨きの際に歯から柄部に加わる力によって柄部が屈曲してしまうことがないように設計することが好ましい。
【００２４】
本発明の携帯用歯ブラシセットは、
上記の携帯用歯ブラシケースと、上記歯ブラシとからなるものである。
【００２５】
携帯用歯ブラシケースと歯ブラシの組み合わせによってファッション性を生み出す。
【発明の効果】
【００２６】
小型の歯ブラシケースが実現され、さまざまな意匠的創作が可能となる。これにより、鞄の持ち手に取付ける等のファッション的な使用が可能となる。
【図面の簡単な説明】
【００２７】
【図１】図１は、携帯用歯ブラシセットを示す図である。（実施例１）
【図２】図２は、携帯用歯ブラシケースの内部を示す図である。（実施例１）
【図３】図３は、歯ブラシの柄を示す図である。（実施例１）
【図４】図４は、取付部を示す図である。（実施例１）
【図５】図５は、携帯用歯ブラシセットを示す図である。（実施例２）
【図６】図６は、歯ブラシの柄を示す図である。（実施例２）
【図７】図７は、携帯用歯ブラシセットの意匠の例を示す図である。（実施例３）
【図８】図８は、携帯用歯ブラシセットを鞄に取付けた状態を示す図である。（実施例３）
【発明を実施するための形態】
【００２８】
以下、本発明の実施例を示す。
【実施例１】
【００２９】
図１は、携帯用歯ブラシセットを示す図である。携帯用歯ブラシセットは、携帯用歯ブラシケース１と歯ブラシ２とからなり、携帯用歯ブラシケース１の孔１４から歯ブラシ２の柄が突出している。柄は屈曲して携帯用歯ブラシケース１の下縁に近接している。なお、柄を屈曲させる仕組みはいかなるものであってもよい。本実施例においては、ヒンジ２１によって回転し、屈曲させた状態においては２つの磁石２２によって固定され、直伸させた状態（歯を磨く時）においては固定具２３ａ及び２３ｂが係合して固定される。
携帯用歯ブラシケース１の本体の容器部と蓋部がヒンジ１３を介して連結されている。
携帯用歯ブラシケース１の上方外側に紐状の取付部１５が連結されている。取付部１５は、チェーンであり、連結／分離することができるものである。
【００３０】
携帯用歯ブラシケース１の直径は４０ｍｍ、歯ブラシ２の柄部のうち携帯用歯ブラシケース１の下方に延伸している長さは５５ｍｍである。柄部を直伸させた状態においては１１０ｍｍの長さが携帯用歯ブラシケース１の下方に延伸するが、柄部を屈曲させてその半分の長さとしている。
携帯用歯ブラシケース１と歯ブラシとを合わせた携帯用歯ブラシセットとして、図の縦方向に９５ｍｍの長さであり、小型である。
【００３１】
図２は、携帯用歯ブラシケースの内部を示す図である。図は、ヒンジ１３を回転させて蓋部１２を容器部１１から分離して蓋を開けた状態のものである。
容器部１１には、孔１４（周縁の切欠部）、ブラシ保持ピン１６ａ、１６ｂ、１６ｃ並びに１６ｄ及びチューブ保持部１７が設けられている。チューブ保持部１７の長辺の長さは３０ｍｍである。
歯ブラシ２の柄が、孔１４を通り、４本のブラシ保持ピン１６ａ、１６ｂ、１６ｃ及び１６ｄによって固定されている。歯ブラシ２の柄は、固定用ピン１６ａ及び１６ｂによって挟まれている。図に示すように柄の太さが変化している場合にはブラシ保持ピン１６ａ及び１６ｂによる位置固定が効果的になる。柄の太さが変化していない場合にも、図の左右方向の移動が防止される。また、ブラシ保持ピン１６ｃ及び１６ｄによって、柄の角度（図において柄が見える方向）及び携帯用歯ブラシケース１への挿入深さが固定される。
５本目のピン１６ｅは、歯ブラシ２の柄の先端が孔１４を通り容器部１１の内側にある場合に、その回転を防止するものである。歯ブラシ２の柄の先端が孔１４を通らず容器部１１の外側にある場合、その他設計によって５本目のピン１６ｅが不要となることもある。
蓋部１２の容器部１１側（図１においては見えず、図２において見える側）には、鏡面１８が設けられている。鏡面１８により、歯磨きの際に歯を見ることができる。鏡面は、実際の鏡であっても、反射シートであってもよい。例えば歯磨き粉として歯垢を着色するものを用いる場合に、歯垢の残っている箇所を確認できる効果がある。
容器部１１の底面に、歯ブラシに残っている水を蒸発させるための通気孔１９が設けられている。
【００３２】
図３は、歯ブラシの柄を示す図である。柄の固定について、柄を屈曲した状態においては、歯ブラシ２の柄の先端が孔１４を通り容器部１１の内側にある場合に図１に示す５本目のピン１６ｅによって固定される。歯ブラシ２の柄の先端が孔１４を通らず容器部１１の外側にある場合には図１に示すように磁石２２によって固定すればよい。柄を直伸した状態において歯磨きに用いることができるだけの強度を得るように固定されることが必要であり、この点について以下説明する。図は、柄を直伸した状態のものである。
屈曲した状態から、ヒンジ２１を回転させて直伸すると、（ａ）の状態となる。固定具２３ａには固定具２３ｂを挿入する溝が形成されている。
固定具２３ａは図示しない機構によってスライドし、（ｂ）の状態となる。固定具２３ａの溝に固定具２３ｂが挿入され、固定具２３ａ及び２３ｂが係合して、上下の柄が固定される。歯磨きの際に歯から受ける力によって屈曲してしまうことがない。
なお、固定具２３ａは、図示しない機構によって、（ａ）の状態よりも上方及び（ｂ）の状態よりも下方へのスライドはできないものである。
【００３３】
図４は、取付部を示す図である。（ａ）のように、チェーンの中に止め具１５１があり、止め具１５１の穴１５１ａに、球体１５２を嵌入して係止（チェーンを連結）する。穴１５１ａから球体１５２を取り出してチェーンを分離する。この構造はマスコットチャーム等に広く用いられているものである。
（ａ）の構造のものは、チェーンを連結した状態において、振動等の外力が加わり球体１５２が止め具１５１からはずれてしまうことがある。はずれてしまうと、マスコットチャーム等が取付箇所から離脱して紛失してしまうこともある。そこで、本実施例においては、（ｂ）のように離脱防止具１５３を設ける。なお、かかる離脱防止具は、本発明の携帯用歯ブラシケースに限定されず、広く活用できるものである。
止め具１５１の穴１５１ａに球体１５２を嵌入した後に、（ｃ）のようにして離脱防止具１５３を止め具１５１に被せる。離脱防止具１５３は止め具１５１に密着され、摩擦によって止め具１５１から離脱防止具１５３がはずれ難くなる。球体１５２が穴１５１ａから抜けてしまうことがなくなる。離脱防止具１５３と止め具１５１との摩擦を高めるために、離脱防止具１５３をシリコン、ゴム等の軟性のものとしてもよい。
なお、止め具１５１は図の右側において球体１５２を嵌入させ／取り出してチェーンの連結／分離を行うが、図の左側においてはチェーンと結合（溶接、接着等）されており、図の右側のみにおいてチェーンの連結／分離を行うものである。
【００３４】
本実施例の携帯用歯ブラシセットは、容器部１１及び蓋部１２が円形であり、図１に示すように、キャンディーの如き形状である。容器部１１及び／又は蓋部１２の外側にキャンディーを模した模様を施し、ファッション性を高めることができる。
【実施例２】
【００３５】
本実施例は、実施例１の歯ブラシの柄の構造を替えるものである。他の部分は実施例１と同様であり、説明を省略する。ただし、本実施例において５本目のピン１６ｅは不要であり、存在しない。
【００３６】
図５は、携帯用歯ブラシセットを示す図である。歯ブラシ２の柄は屈曲しておらず、１本の柱体が見えている。
【００３７】
図６は、歯ブラシの柄を示す図である。（ａ）に示すとおり、柄は、軸部２ａ及び筒部２ｂからなる。軸部２ａには固定突起２４ａ及び２４ｂが設けられている。２つの固定突起は軸部２aに押込み可能であり、図示しない機構によって軸部２ａの外側に向けて付勢されている。筒部２ｂには受け穴２５が設けられている。
歯ブラシとして用いる時には、（ａ）に示すように固定突起２４ｂを受け穴２５に挿入し、伸張した状態とする。
携帯用歯ブラシケースに収容する時には、固定突起２４ｂを押込み、筒部２ｂを上方に動かし、固定突起２４ａを受け穴２５に挿入する。柄は短縮された状態で固定される。
【実施例３】
【００３８】
本実施例は、携帯用歯ブラシセットの意匠として幅広いものが可能であることを示すものである。
【００３９】
図７は、携帯用歯ブラシケースの意匠の例を示す図である。
容器部１１及び蓋部１２の形状は円形に限られず、各種の形状の意匠が可能である。図は、例示であり、他の形状も考えられる。例えば、（ａ）のようにアイスクリームのような意匠とすることも、（ｂ）のようにモミの木のような意匠とすることもできる。他にも、チューリップ、フラミンゴ、その他歯ブラシの柄が意匠の一部となるような意匠が各種考えられる。
なお、図において、ブラシ保持ピン、チューブ保持部及び取付部の位置が示されている。
【００４０】
図８は、携帯用歯ブラシケースを鞄に取付けた状態を示す図である。
違和感なく鞄に取付けて、ファッション性を示すことができる。
【産業上の利用可能性】
【００４１】
小型であり、各種の意匠的創作によって鞄の持ち手に取付ける等のファッション的な使用が可能となる携帯用歯ブラシケースであり、多くの個人及び日用品製造業者による利用が期待される。
【符号の説明】
【００４２】
１    携帯用歯ブラシケース
１１  容器部
１２  蓋部
１３  ヒンジ
１４  孔
１５  取付部
１６  ブラシ保持ピン
１７  チューブ保持部
１８  鏡面
１９  通気孔
２    歯ブラシ
２１  ヒンジ
２２  磁石
２３  固定具
２４  固定突起
２５  受け穴
【図１】
2014131528.tif 000003
【図２】
2014131528.tif 000004
【図３】
2014131528.tif 000005
【図４】
2014131528.tif 000006
【図５】
2014131528.tif 000007
【図６】
2014131528.tif 000008
【図７】
2014131528.tif 000009
【図８】
2014131528.tif 000010
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ケース本体の前記ブラシ保持部の下方に歯ブラシの柄を突出させる孔を有し、
前記ブラシ保持部は、ブラシ部を保持する４本のピンを備え、該４本のピンは根元の柄部を保持する２本のピンと、ブラシ部の先端の柄部を保持する２本のピンとからなる
ことを特徴とする、携帯用歯ブラシケース。
【請求項２】
前記容器部及び蓋部の少なくとも一方に通気孔を有する
ことを特徴とする、請求項１に記載の携帯用歯ブラシケース。
【請求項３】
前記蓋部の前記容器部側に鏡面を有する
ことを特徴とする、請求項１又は２に記載の携帯用歯ブラシケース。
【請求項４】
前記取付部は、球体が連結されたチェーン本体と、前記球体を嵌入して係止する留め具とを有し、
前記チェーン本体に沿って移動し、前記留め具の前記球体を嵌入する部分を被覆することのできる離脱防止具を備える
ことを特徴とする、請求項１〜３のいずれか１項に記載の携帯用歯ブラシケース。
【請求項５】
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ケース本体の前記ブラシ保持部の下方に歯ブラシの柄を突出させる孔を有する、ことを特徴とする携帯用歯ブラシケースと、
歯ブラシであって、該歯ブラシのブラシ部が前記携帯用歯ブラシケースに収容され、該歯ブラシの柄部のうち前記孔の外の部分の長さを、歯磨きに用いる時の最長の長さに比して６０％以下の長さとする柄部短縮機構を備える、ことを特徴とする歯ブラシと、
からなる、携帯用歯ブラシセット。
【請求項６】
前記柄部短縮機構は、柄部が軸部と筒部とからなり、前記軸部を前記筒部に挿入して柄部を短縮した状態と、前記軸部を前記筒部に挿入せずに柄部を伸張した状態との両方において軸部と筒部とを固定する固定機構を有するものである
ことを特徴とする、請求項５に記載の携帯用歯ブラシセット。
【請求項７】
前記柄部短縮機構は、その柄部を屈曲させて、屈曲した柄部の先端が前記携帯用歯ブラシケースの下縁の近傍に位置するようにするものである
ことを特徴とする、請求項５に記載の携帯用歯ブラシセット。
【手続補正２】
【補正対象書類名】明細書
【補正対象項目名】全文
【補正方法】変更
【補正の内容】
【発明の詳細な説明】
【技術分野】
【０００１】
本発明は、携帯用歯ブラシケース、その歯ブラシケースに入れる歯ブラシ及び携帯用歯ブラシケースと歯ブラシとからなる携帯用歯ブラシセットに関するものである。
【背景技術】
【０００２】
宿泊を伴う旅行（仕事のための出張を含む）に当たっては、歯ブラシ及び歯磨きを持ち歩くことが多い。歯ブラシは、そのブラシ部が旅行に持参する他の物品と接触しないように保つことが期待される。このため、歯ブラシを携帯するための携帯用歯ブラシケースが知られている。
【０００３】
歯ブラシの柄部には一定の長さがあるため、従来の携帯用歯ブラシケースは、柄部をも収容する大きなものとなっていた。このため、鞄の中に入れて持ち歩くこととなり、鞄内の他の物品とは異なる形状であるため、鞄への収容が必ずしも安定したものではなかった。また、意匠性に乏しいものであった。
【０００４】
一方、装飾性のある小さな物品については、鞄の持ち手に取付ける等のファッション的な使用が広く行われている。
携帯用歯ブラシケースについても、小型であれば、かかるファッション的な使用が可能である。
【０００５】
歯ブラシのうち、携帯用歯ブラシケースによって被覆して他の物品と接触しないように保つことが期待されるのは、ブラシ部のみである。してみれば、小型で意匠性のある携帯用歯ブラシケースも実現可能であるが、そのような携帯用歯ブラシケースは知られていなかった。
なお、特許文献１には、小さな隙間に詰め込むことのできるケースが開示されているが、ファッション的な使用を考慮したものではない。
【先行技術文献】
【特許文献】
【０００６】
【特許文献１】特開平１０−２４８６３７号公報
【発明の概要】
【発明が解決しようとする課題】
【０００７】
解決しようとする課題は、小型で意匠性のある携帯用歯ブラシケースを実現することである。また、鞄の持ち手に取付ける等のファッション的な使用を可能とすることである。
【課題を解決するための手段】
【０００８】
本発明の携帯用歯ブラシケースは、
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ブラシ保持部は、ブラシ部を保持する４本のピンを備え、該４本のピンは根元の柄部を保持する２本のピンと、ブラシ部の先端の柄部を保持する２本のピンとからなる
ことを特徴とする。
【０００９】
携帯用歯ブラシケースは、歯ブラシの柄を収容しないので、小型にすることができる。また、ケース外側の歯ブラシの柄にケース本体が付されたように見えることを利して、さまざまな意匠的創作が可能である。
取付部によって、鞄の持ち手に取付ける等のファッション的な使用が可能となる。
歯ブラシと歯磨きとを入れることができ、旅行、日常の外出、その他歯ブラシと歯磨きを持ち歩くに当たって便利である。
ピンによって保持することで、種々のブラシ部の形状に対応することができる。
【００１０】
本発明の携帯用歯ブラシケースは、
前記容器部及び蓋部の少なくとも一方に通気孔を有する
ことを特徴とする。
【００１１】
歯磨きの直後に歯ブラシを携帯用歯ブラシケースに収容する。このため、歯ブラシ（特にブラシ部）には水が残っている状態で収容することになる。かかる水を蒸発させるために、通気孔があることが好ましい。
【００１２】
本発明の携帯用歯ブラシケースは、
前記蓋部の前記容器部側に鏡面を有する
ことを特徴とする。
【００１３】
歯磨きに当たって、歯を観察するための鏡を有すると便利である。
【００１４】
本発明の携帯用歯ブラシケースは、
前記取付部は、球体が連結されたチェーン本体と、前記球体を嵌入して係止する留め具とを有し、  前記チェーン本体に沿って移動し、前記留め具の前記球体を嵌入する部分を被覆することのできる離脱防止具を備える
ことを特徴とする。
【００１５】
球体が連結されたチェーン本体と、球体を嵌入して係止する留め具は、マスコットチャーム等において広く用いられているものである。かかる留め具は、低コストで製造できるものであり量産に適しているが、外力が加わった場合における係止は確実ではなく、はずれてしまうこともある。はずれてしまうと、マスコットチャーム等が取付箇所から離脱して紛失してしまうこともある。
一方、携帯用歯ブラシケースはファッション的に鞄の持ち手に取付ける等の使用がなされるため、ネックレス等に比して振動等の外力が加わりやすく、外力に対する係止がより強く必要とされる。そこで、離脱防止具によってはずれることを防止する。
【００１６】
本発明の携帯用歯ブラシセットは、
容器部と蓋部とからなり、前記蓋部がヒンジを介して容器部に連結されたケース本体と、
前記ケース本体の上方外側に連結された紐状の取付部とを備え、
前記ケース本体の内側に、歯ブラシのブラシ部を保持するブラシ保持部と、歯磨きを入れたチューブを保持するチューブ保持部とを有し、
前記ケース本体の前記ブラシ保持部の下方に歯ブラシの柄を突出させる孔を有する、ことを特徴とする携帯用歯ブラシケースと、
歯ブラシであって、該歯ブラシのブラシ部が前記携帯用歯ブラシケースに収容され、該歯ブラシの柄部のうち前記孔の外の部分の長さを、歯磨きに用いる時の最長の長さに比して６０％以下の長さとする柄部短縮機構を備える、ことを特徴とする歯ブラシと、
からなる。
【００１７】
携帯用歯ブラシケースが小型になるので、長い歯ブラシの柄部を屈曲させて略２分の１以下（６０％以下）の長さとし、携帯用歯ブラシケースと歯ブラシの全体を小型化して強いファッション性を持たせる。
【００１８】
本発明の携帯用歯ブラシセットは、
前記柄部短縮機構は、柄部が軸部と筒部とからなり、前記軸部を前記筒部に挿入して柄部を短縮した状態と、前記軸部を前記筒部に挿入せずに柄部を伸張した状態との両方において軸部と筒部とを固定する固定機構を有するものである
ことを特徴とする。
【００１９】
折りたたみ傘の軸を短縮・伸張させるものと同様の機構である。
伸張させて歯磨きを行う際に、歯から柄部に加わる応力によって柄部が屈曲してしまうことがない。
【００２０】
本発明の携帯用歯ブラシセットは、
前記柄部短縮機構は、その柄部を屈曲させて、屈曲した柄部の先端が前記携帯用歯ブラシケースの下縁の近傍に位置するようにするものである
ことを特徴とする。
【００２１】
柄部を屈曲させることによっても、柄部短縮機構を実現することができる。この場合、歯磨きの際に歯から柄部に加わる力によって柄部が屈曲してしまうことがないように設計することが好ましい。
【発明の効果】
【００２２】
小型の歯ブラシケースが実現され、さまざまな意匠的創作が可能となる。これにより、鞄の持ち手に取付ける等のファッション的な使用が可能となる。
【図面の簡単な説明】
【００２３】
【図１】図１は、携帯用歯ブラシセットを示す図である。（実施例１）
【図２】図２は、携帯用歯ブラシケースの内部を示す図である。（実施例１）
【図３】図３は、歯ブラシの柄を示す図である。（実施例１）
【図４】図４は、取付部を示す図である。（実施例１）
【図５】図５は、携帯用歯ブラシセットを示す図である。（実施例２）
【図６】図６は、歯ブラシの柄を示す図である。（実施例２）
【図７】図７は、携帯用歯ブラシセットの意匠の例を示す図である。（実施例３）
【図８】図８は、携帯用歯ブラシセットを鞄に取付けた状態を示す図である。（実施例３）
【発明を実施するための形態】
【００２４】
以下、本発明の実施例を示す。
【実施例１】
【００２５】
図１は、携帯用歯ブラシセットを示す図である。携帯用歯ブラシセットは、携帯用歯ブラシケース１と歯ブラシ２とからなり、携帯用歯ブラシケース１の孔１４から歯ブラシ２の柄が突出している。柄は屈曲して携帯用歯ブラシケース１の下縁に近接している。なお、柄を屈曲させる仕組みはいかなるものであってもよい。本実施例においては、ヒンジ２１によって回転し、屈曲させた状態においては２つの磁石２２によって固定され、直伸させた状態（歯を磨く時）においては固定具２３ａ及び２３ｂが係合して固定される。
携帯用歯ブラシケース１の本体の容器部と蓋部がヒンジ１３を介して連結されている。
携帯用歯ブラシケース１の上方外側に紐状の取付部１５が連結されている。取付部１５は、チェーンであり、連結／分離することができるものである。
【００２６】
携帯用歯ブラシケース１の直径は４０ｍｍ、歯ブラシ２の柄部のうち携帯用歯ブラシケース１の下方に延伸している長さは５５ｍｍである。柄部を直伸させた状態においては１１０ｍｍの長さが携帯用歯ブラシケース１の下方に延伸するが、柄部を屈曲させてその半分の長さとしている。
携帯用歯ブラシケース１と歯ブラシとを合わせた携帯用歯ブラシセットとして、図の縦方向に９５ｍｍの長さであり、小型である。
【００２７】
図２は、携帯用歯ブラシケースの内部を示す図である。図は、ヒンジ１３を回転させて蓋部１２を容器部１１から分離して蓋を開けた状態のものである。
容器部１１には、孔１４（周縁の切欠部）、ブラシ保持ピン１６ａ、１６ｂ、１６ｃ並びに１６ｄ及びチューブ保持部１７が設けられている。チューブ保持部１７の長辺の長さは３０ｍｍである。
歯ブラシ２の柄が、孔１４を通り、４本のブラシ保持ピン１６ａ、１６ｂ、１６ｃ及び１６ｄによって固定されている。歯ブラシ２の柄は、固定用ピン１６ａ及び１６ｂによって挟まれている。図に示すように柄の太さが変化している場合にはブラシ保持ピン１６ａ及び１６ｂによる位置固定が効果的になる。柄の太さが変化していない場合にも、図の左右方向の移動が防止される。また、ブラシ保持ピン１６ｃ及び１６ｄによって、柄の角度（図において柄が見える方向）及び携帯用歯ブラシケース１への挿入深さが固定される。
５本目のピン１６ｅは、歯ブラシ２の柄の先端が孔１４を通り容器部１１の内側にある場合に、その回転を防止するものである。歯ブラシ２の柄の先端が孔１４を通らず容器部１１の外側にある場合、その他設計によって５本目のピン１６ｅが不要となることもある。
蓋部１２の容器部１１側（図１においては見えず、図２において見える側）には、鏡面１８が設けられている。鏡面１８により、歯磨きの際に歯を見ることができる。鏡面は、実際の鏡であっても、反射シートであってもよい。例えば歯磨き粉として歯垢を着色するものを用いる場合に、歯垢の残っている箇所を確認できる効果がある。
容器部１１の底面に、歯ブラシに残っている水を蒸発させるための通気孔１９が設けられている。
【００２８】
図３は、歯ブラシの柄を示す図である。柄の固定について、柄を屈曲した状態においては、歯ブラシ２の柄の先端が孔１４を通り容器部１１の内側にある場合に図１に示す５本目のピン１６ｅによって固定される。歯ブラシ２の柄の先端が孔１４を通らず容器部１１の外側にある場合には図１に示すように磁石２２によって固定すればよい。柄を直伸した状態において歯磨きに用いることができるだけの強度を得るように固定されることが必要であり、この点について以下説明する。図は、柄を直伸した状態のものである。
屈曲した状態から、ヒンジ２１を回転させて直伸すると、（ａ）の状態となる。固定具２３ａには固定具２３ｂを挿入する溝が形成されている。
固定具２３ａは図示しない機構によってスライドし、（ｂ）の状態となる。固定具２３ａの溝に固定具２３ｂが挿入され、固定具２３ａ及び２３ｂが係合して、上下の柄が固定される。歯磨きの際に歯から受ける力によって屈曲してしまうことがない。
なお、固定具２３ａは、図示しない機構によって、（ａ）の状態よりも上方及び（ｂ）の状態よりも下方へのスライドはできないものである。
【００２９】
図４は、取付部を示す図である。（ａ）のように、チェーンの中に止め具１５１があり、止め具１５１の穴１５１ａに、球体１５２を嵌入して係止（チェーンを連結）する。穴１５１ａから球体１５２を取り出してチェーンを分離する。この構造はマスコットチャーム等に広く用いられているものである。
（ａ）の構造のものは、チェーンを連結した状態において、振動等の外力が加わり球体１５２が止め具１５１からはずれてしまうことがある。はずれてしまうと、マスコットチャーム等が取付箇所から離脱して紛失してしまうこともある。そこで、本実施例においては、（ｂ）のように離脱防止具１５３を設ける。なお、かかる離脱防止具は、本発明の携帯用歯ブラシケースに限定されず、広く活用できるものである。
止め具１５１の穴１５１ａに球体１５２を嵌入した後に、（ｃ）のようにして離脱防止具１５３を止め具１５１に被せる。離脱防止具１５３は止め具１５１に密着され、摩擦によって止め具１５１から離脱防止具１５３がはずれ難くなる。球体１５２が穴１５１ａから抜けてしまうことがなくなる。離脱防止具１５３と止め具１５１との摩擦を高めるために、離脱防止具１５３をシリコン、ゴム等の軟性のものとしてもよい。
なお、止め具１５１は図の右側において球体１５２を嵌入させ／取り出してチェーンの連結／分離を行うが、図の左側においてはチェーンと結合（溶接、接着等）されており、図の右側のみにおいてチェーンの連結／分離を行うものである。
【００３０】
本実施例の携帯用歯ブラシセットは、容器部１１及び蓋部１２が円形であり、図１に示すように、キャンディーの如き形状である。容器部１１及び／又は蓋部１２の外側にキャンディーを模した模様を施し、ファッション性を高めることができる。
【実施例２】
【００３１】
本実施例は、実施例１の歯ブラシの柄の構造を替えるものである。他の部分は実施例１と同様であり、説明を省略する。ただし、本実施例において５本目のピン１６ｅは不要であり、存在しない。
【００３２】
図５は、携帯用歯ブラシセットを示す図である。歯ブラシ２の柄は屈曲しておらず、１本の柱体が見えている。
【００３３】
図６は、歯ブラシの柄を示す図である。（ａ）に示すとおり、柄は、軸部２ａ及び筒部２ｂからなる。軸部２ａには固定突起２４ａ及び２４ｂが設けられている。２つの固定突起は軸部２aに押込み可能であり、図示しない機構によって軸部２ａの外側に向けて付勢されている。筒部２ｂには受け穴２５が設けられている。
歯ブラシとして用いる時には、（ａ）に示すように固定突起２４ｂを受け穴２５に挿入し、伸張した状態とする。
携帯用歯ブラシケースに収容する時には、固定突起２４ｂを押込み、筒部２ｂを上方に動かし、固定突起２４ａを受け穴２５に挿入する。柄は短縮された状態で固定される。
【実施例３】
【００３４】
本実施例は、携帯用歯ブラシセットの意匠として幅広いものが可能であることを示すものである。
【００３５】
図７は、携帯用歯ブラシケースの意匠の例を示す図である。
容器部１１及び蓋部１２の形状は円形に限られず、各種の形状の意匠が可能である。図は、例示であり、他の形状も考えられる。例えば、（ａ）のようにアイスクリームのような意匠とすることも、（ｂ）のようにモミの木のような意匠とすることもできる。他にも、チューリップ、フラミンゴ、その他歯ブラシの柄が意匠の一部となるような意匠が各種考えられる。
なお、図において、ブラシ保持ピン、チューブ保持部及び取付部の位置が示されている。
【００３６】
図８は、携帯用歯ブラシケースを鞄に取付けた状態を示す図である。
違和感なく鞄に取付けて、ファッション性を示すことができる。
【産業上の利用可能性】
【００３７】
小型であり、各種の意匠的創作によって鞄の持ち手に取付ける等のファッション的な使用が可能となる携帯用歯ブラシケースであり、多くの個人及び日用品製造業者による利用が期待される。
【符号の説明】
【００３８】
１    携帯用歯ブラシケース
１１  容器部
１２  蓋部
１３  ヒンジ
１４  孔
１５  取付部
１６  ブラシ保持ピン
１７  チューブ保持部
１８  鏡面
１９  通気孔
２    歯ブラシ
２１  ヒンジ
２２  磁石
２３  固定具
２４  固定突起
２５  受け穴